【事件の表示】
　特許第３１８６０１７号「電気掃除機」の請求項１、２に係る特許に対する特許異議の申立てについて、次のとおり決定する。
【結　論】
　訂正を認める。
　特許第３１８６０１７号の請求項１ないし２に係る特許を維持する。
【理　由】
〔１〕手続の経緯
　本件特許３１８６０１７号（以下「本件特許」という。）は、平成７年８月８日に特許出願されたものであって、平成１３年５月１１日に設定登録がされ、同年７月１１日に特許公報に掲載されたものであり、これに対して、特許異議申立人・樋口守孝より、本件の請求項１及び請求項２に係る発明の特許に対して、平成１４年１月９日付けで特許異議の申立てがされ、その後、当審の取消理由通知に対して、平成１４年６月６日付け訂正請求書により訂正請求がされたものである。
    
〔２〕訂正事項と訂正の適否についての判断
１．本件訂正請求は、以下の事項について訂正するものである。
(ア)特許請求の範囲の記載を以下の請求項１〜２のとおりとする。
「請求項１
　電動送風機を収容する電気掃除機本体と、
　この電気掃除機本体に接続されるホースと、
　このホースの端部に設けられ、前記ホースと連通する連通管部、およびこの連通管部の上方に分岐した把手部を有する把持部と、
　前記連通管部の下面に一体的に設けられた係止部と、
　この係止部に係脱可能な係合部を有し、前記ホースの端部に接続可能な吸込口体とを具備し
、
前記吸込口体は、一端側に略円筒状の接続管部が形成され、他端部に偏平で吸込口を開口する吸込口部が形成された筒状であり、
前記係合部は、前記吸込口から切り欠き形成されている
　請求項２
　吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
　
(イ)発明の詳細な説明の段落０００６を以下のとおり訂正する。
「【課題を解決するための手段】
　請求項１記載の電気掃除機は、電動送風機を収容する電気掃除機本体と、この電気掃除機本体に接続されるホースと、このホースの端部に設けられ、前記ホースと連通する連通管部、およびこの連通管部の上方に分岐した把手部を有する把持部と、前記連通管部の下面に一体的に設けられた係止部と、この係止部に係脱可能な係合部を有し、前記ホースの端部に接続可能な吸込口体とを具備し
、前記吸込口体は、一端側に略円筒状の接続管部が形成され、他端部に偏平で吸込口を開口する吸込口部が形成された筒状であり、前記係合部は、前記吸込口から切り欠き形成されている
　　
(ウ)発明の詳細な説明の段落０００７を以下のとおり訂正する。
「請求項２記載の電気掃除機は、請求項１記載の電気掃除機において、吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
せる
　
(エ)発明の詳細な説明の段落００３１を以下のとおり訂正する。
「請求項２記載の電気掃除機によれば、請求項１記載の電気掃除機に加え、係合部を把持部の係止部に対向させ、ホースの軸方向に沿って摺動移動させて係合部を係止部に係止させて吸込口体を取り付け、吸込口体を取り外す場合には、取付の際の摺動移動方向と反対方向に移動さ
せて
　
２．そこで、訂正事項について検討する。
　請求項１に係る訂正は、吸込口体及びその係合部の形状を限定したものであるから、特許請求の範囲の減縮に当たる。
　請求項２に係る訂正は、吸込口体の取り外し手段として、(１)取付の際の摺動移動方向と反対方向に移動させる手段と、(２)係合部が係止する前記係止部を中心軸として回動させる手段のうち、後者を削除したものであるから、これも特許請求の範囲の減縮に当たる。
  発明の詳細な説明の訂正は、請求項の訂正に伴って、訂正後の特許請求の範囲の記載と整合させたものであると認められる。
　そして、各訂正事項は、いずれも願書に添付した明細書（段落００１８及び段落００２５）に記載された事項であり、かつ、全体として、実質上特許請求の範囲を拡張し又は変更するものでもない。
　そうすると、本件訂正の目的は、特許法第１２０条の４第２項ただし書第１号に該当し、また、本件訂正事項は、同条第３項で準用する第１２６条第２項及び第３項の規定にも適合する。
  したがって、本件各訂正はこれを認める。
　
〔３〕特許異議申立てについての判断
１．本件請求項１及び請求項２に係る発明は、訂正された明細書及び図面の記載からみて、その特許請求の範囲の請求項１及び請求項２に記載されたとおりのものにある（上掲〔２〕１．(ア)）。
　
２．これに対して、特許異議申立人の提示した甲号各証には、本件請求項１及び請求項２に係る発明の、吸込口体の係合部が吸込口から切り欠き形成されているという構成に関しては記載も示唆もない。
  したがって、その余について検討するまでもなく、かりに、甲第１号証の１〜３が、本件特許の出願前に頒布された刊行物であるとしても、本件請求項１及び請求項２に係る発明が甲号各証に記載された発明に基づいて当業者が容易に発明をすることができたものであるとすることはできない。
　なお、特許異議申立人は、平成１４年６月４日期日の口頭審理に、呼び出しを受けたのにもかかわらず、正当な理由の申し出も告げずに欠席した。
　
〔４〕まとめ
　以上によれば、特許異議申立人の主張する申立ての理由及び提出した証拠方法によっては、本件特許を取り消すことはできない。また、ほかに本件特許を取り消すべき理由を発見しない。
　よって、結論のとおり決定する。
【異議決定日】
平成１４年６月７日（２００２．６．７）
【訂正の要旨】
（ア）特許請求の範囲の記載を以下の請求項１〜２のとおりとする。
「請求項１
　電動送風機を収容する電気掃除機本体と、
　この電気掃除機本体に接続されるホースと、
　このホースの端部に設けられ、前記ホースと連通する連通管部、およびこの連通管部の上方に分岐した把手部を有する把持部と、
　前記連通管部の下面に一体的に設けられた係止部と、
　この係止部に係脱可能な係合部を有し、前記ホースの端部に接続可能な吸込口体とを具備し
、
　
前記吸込口体は、一端側に略円筒状の接続管部が形成され、他端部に偏平で吸込口を開口する吸込口部が形成された筒状であり、
　
前記係合部は、前記吸込口から切り欠き形成されている
　ことを特徴とする電気掃除機。
　請求項２
　吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
（イ）発明の詳細な説明の段落０００６を以下のとおり訂正する。
「【課題を解決するための手段】
　請求項１記載の電気掃除機は、電動送風機を収容する電気掃除機本体と、この電気掃除機本体に接続されるホースと、このホースの端部に設けられ、前記ホースと連通する連通管部、およびこの連通管部の上方に分岐した把手部を有する把持部と、前記連通管部の下面に一体的に設けられた係止部と、この係止部に係脱可能な係合部を有し、前記ホースの端部に接続可能な吸込口体とを具備し
、前記吸込口体は、一端側に略円筒状の接続管部が形成され、他端部に偏平で吸込口を開口する吸込口部が形成された筒状であり、前記係合部は、前記吸込口から切り欠き形成されている
（ウ）発明の詳細な説明の段落０００７を以下のとおり訂正する。
「請求項２記載の電気掃除機は、請求項１記載の電気掃除機において、吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
せる
（エ）発明の詳細な説明の段落００３１を以下のとおり訂正する。
「請求項２記載の電気掃除機によれば、請求項１記載の電気掃除機に加え、係合部を把持部の係止部に対向させ、ホースの軸方向に沿って摺動移動させて係合部を係止部に係止させて吸込口体を取り付け、吸込口体を取り外す場合には、取付の際の摺動移動方向と反対方向に移動さ
せて
（５４）【発明の名称】
電気掃除機
（５７）【特許請求の範囲】
　【請求項１】　電動送風機を収容する電気掃除機本体と、
　この電気掃除機本体に接続されるホースと、
　このホースの端部に設けられ、前記ホースと連通する連通管部、およびこの連通管部の上方に分岐した把手部を有する把持部と、
　前記連通管部の下面に一体的に設けられた係止部と、
　この係止部に係脱可能な係合部を有し、前記ホースの端部に接続可能な吸込口体とを具備し
、
　
前記吸込口体は、一端側に略円筒状の接続管部が形成され、他端部に偏平で吸込口を開口する吸込口部が形成された筒状であり、
　
前記係合部は、前記吸込口から切り欠き形成されている
　ことを特徴とする電気掃除機。
　【請求項２】　吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
　ことを特徴とする請求項１記載の電気掃除機。
　【請求項３】　係止部は、把持部の下面に下方に向けて略円柱状に突出する軸部と、この軸部からホースの軸方向に沿って壁状に突出するフランジ部と、前記軸部の先端部に設けられこの軸部の径より径大に鍔状に突出する係止鍔部とを有し、
　係合部は、前記軸部の径より幅狭の開口部と、この開口部に周縁が連続し前記係止部が嵌挿される略円形状に開口する軸開口と、この軸開口に連続して前記開口部に直径方向に対向して形成され前記係止部のフランジ部が挿入される位置決め凹部とを有した
　ことを特徴とする請求項１または２記載の電気掃除機。
　【請求項４】　係止部は、フランジ部の軸部と反対側の端部の下端縁に下方に向けて突出し係合部の位置決め凹部の縁に係合する支点部を有した
　ことを特徴とする請求項３記載の電気掃除機。
【発明の詳細な説明】
　【０００１】
　【発明の属する技術分野】
　本発明は、ホースの把手部に吸込口体を着脱自在に取り付ける電気掃除機に関する。
　【０００２】
　【従来の技術】
　従来、この種の電気掃除機としては、例えば実開昭５３−１６５７７６号公報や実開昭５５−１０１５５３号公報に記載の構成が知られている。
　【０００３】
　これら実開昭５３−１６５７７６号公報や実開昭５５−１０１５５３号公報に記載の電気掃除機は、電気掃除機本体に接続されるホースの先端部に設けた把持部の下面やこの把持部の先端部に接続される延長管に、つる口や家具ブラシなどの吸込口体を取付部材にて着脱自在に取り付けている。この取付部材は、吸込口体の延長管に接続される接続管を嵌挿する管状の保持部と、この保持部の外周面に略同方向に円弧状に突出する弾性を有した一対の取付部とを有し、保持部に接続管が嵌挿された吸込口体を、一対の取付部を弾性変形させて把持部や延長管に挟持するように取り付ける。
　【０００４】
　【発明が解決しようとする課題】
　しかしながら、上記実開昭５３−１６５７７６号公報や実開昭５５−１０１５５３号公報に記載の従来の電気掃除機において、吸込口体を取り付けるために別体の取付部材を必要とするため、部品点数が増大してコストが増大するとともに、別体であるため手にとって操作される把持部に取り付けた場合には、掃除作業性が煩雑となる。さらに、取付部材は、別体であるため紛失のおそれがある。
　【０００５】
　本発明は、上記問題点に鑑みなされたもので、簡単な構造で容易に吸込口体を着脱できる電気掃除機を提供することを目的とする。
　【０００６】
　【課題を解決するための手段】
　請求項１記載の電気掃除機は、電動送風機を収容する電気掃除機本体と、この電気掃除機本体に接続されるホースと、このホースの端部に設けられ、前記ホースと連通する連通管部、およびこの連通管部の上方に分岐した把手部を有する把持部と、前記連通管部の下面に一体的に設けられた係止部と、この係止部に係脱可能な係合部を有し、前記ホースの端部に接続可能な吸込口体とを具備し
、前記吸込口体は、一端側に略円筒状の接続管部が形成され、他端部に偏平で吸込口を開口する吸込口部が形成された筒状であり、前記係合部は、前記吸込口から切り欠き形成されている
　【０００７】
　請求項２記載の電気掃除機は、請求項１記載の電気掃除機において、吸込口体の取り付けは、係合部を把持部の係止部に対向させ、ホースの軸方向に沿って摺動移動させることにより前記係合部を前記係止部に係止させ、前記吸込口体の取り外しは、取付の際の摺動移動方向と反対方向に移動さ
せて
せる
　【０００８】
　請求項３記載の電気掃除機は、請求項１または２記載の電気掃除機において、係止部は、把持部の下面に下方に向けて略円柱状に突出する軸部と、この軸部からホースの軸方向に沿って壁状に突出するフランジ部と、前記軸部の先端部に設けられこの軸部の径より径大に鍔状に突出する係止鍔部とを有し、係合部は、前記軸部の径より幅狭の開口部と、この開口部に周縁が連続し前記係止部が嵌挿される略円形状に開口する軸開口と、この軸開口に連続して前記開口部に直径方向に対向して形成され前記係止部のフランジ部が挿入される位置決め凹部とを有したものである。そして、吸込口体の取り付けの際には、吸込口体の係合部の開口部から把持部の係止部のフランジ部を挿入し、さらに係止部の軸部を開口部を拡開させて係合部の軸開口に圧入するとともにフランジ部を係合部の位置決め凹部に挿入して位置決めし、係止部の係止鍔部を軸開口の裏面側縁に係合させて吸込口体を取り付ける。また、吸込口体の取り外しの際には、吸込口体を取り付けの際の移動方向と反対方向に移動させるあるいは軸部を回転軸として回動させて、軸部を開口部から開口部を拡開させつつ取り外す。
　【０００９】
　請求項４記載の電気掃除機は、請求項３記載の電気掃除機において、係止部は、フランジ部の軸部と反対側の端部の下端縁に下方に向けて突出し係合部の位置決め凹部の縁に係合する支点部を有したもので、吸込口体の係合部を把持部の係止部に係止させて吸込口体を取り付けた際、係止鍔部が係合部の裏面側の縁に係止するとともに支点部が係合部の位置決め凹部の縁に係合して二点で位置決めされ、吸込口体ががたつきなく取り付けられる。
　【００１０】
　【発明の実施の形態】
　以下、本発明の電気掃除機の実施の一形態を図面を参照して説明する。
　【００１１】
　図８において、１は電気掃除機本体で、この電気掃除機本体１は、上面を開口する下ケース部材２およびこの下ケース部材２の後部上面を覆う上ケース部材３からなる本体ケース４と、この本体ケース４の前部に開口する集塵開口５には、開閉自在に蓋体６が設けられている。そして、この電気掃除機本体１の内部には、図示しない電動送風機が収納された電動送風機室、および、電動送風機の負圧側に吸引した集塵を捕捉する集塵袋を着脱自在に装着する集塵室が区画形成されている。また、電気掃除機本体１の前部には、ホース８を接続し集塵室に連通する接続口９が形成されている。
　【００１２】
　そして、ホース８は、可撓性を有するホース体１１の一端に接続口９に嵌合接続される接続管１２を有し、ホース体１１の他端に後方に向けて分岐する形状の把持部１３を有し、この把持部１３の先端には、延長管１４を介して吸込口本体１５などが取り付けられる。
　【００１３】
　また、吸込口本体１５は、下面に図示しない吸込口を開口する横長矩形状のケース体１６内に、図示しない電動機およびこの電動機にて回転駆動される吸込口に臨んで位置する回転清掃体を配設している。
　【００１４】
　一方、把持部１３は、図１および図７に示すように、基部２１および蓋部２２とから構成されている。そして、基部２１には、一端部にホース体１１を嵌着固定するとともに他端部に延長管１４を着脱自在に接続させてホース体１１と延長管１４とを気密に連通させる下方に向けて略く字状に屈曲形成された筒状の連通管部２３と、この基部２１の後方から後部に向けて彎曲して形成されるとともに上方が開口された把手下部２４とが形成されている。
　【００１５】
　さらに、基部２１の下面には、係止部２５が設けられている。この係止部２５は、図１ないし図５に示すように、下面が平面である台座部２６が設けられ、この台座部２６の前側略中央に略円柱状に下方に突出する軸部２７と、この軸部２７からホース８の軸方向である連通管部２３の軸方向に沿ってホース体１１側に壁状に突出するフランジ部２８が設けられている。さらに、軸部２７の先端には軸部２７の径より径大に略四角状の鍔状に突出する係止鍔部２９が設けられている。また、フランジ部２８の軸部２７と反対側の端部の下端縁には下方に向けて突出する支点部３０が設けられている。なお、台座部２６には、フランジ部２８の支点部３０が設けられた側の基端部に位置して連通管部２３の外周面に連続する傾斜したテーパ面３１が設けられている。
　【００１６】
　一方、蓋部２２には把手下部２４に対向し下面が開口した把手上部３２が彎曲して形成されている。そして、蓋部２２の上面には、延長管１４に係合する図示しない係止部を係脱させる係脱ボタン３５を突設している。さらに、蓋部２２の上面には、図８に示すように、例えばメンブレンスイッチにて形成された操作スイッチである面板スイッチとして、吸込口本体１５の図示しない電動機のオン・オフを行う電動機スイッチ４７や電動送風機の出力を制御する自動制御用のファジィスイッチ４８、手動切換スイッチ４９、出力を停止させる停止スイッチ５０を配設した細長板状の操作手段５１が設けられている。
　【００１７】
　そして、操作手段５１が取り付けられた蓋部２２は、図示しないねじなどにて基部２１に取り付けられて、把手下部２４と把手上部３２とにて把手部５２が構成されて把持部１３が形成される。ここで、この把手部５２は、把持部１３の連通管部２３から上方に向けて分岐している。
　【００１８】
　一方、図１、図６および図７において、５５は吸込口体としてのつる口で、このつる口５５は、一端側が略円筒状の接続管部５６が形成され、他端部が偏平で先端から下面に亘って吸込口５７を開口する吸込口部５８が形成された筒状で、吸込口５７の接続管部５６側の縁には係合部５９が形成されている。そして、この係合部５９は、略円形孔状で係止部２５の軸部２７の径寸法と略同寸法の軸開口６１が吸込口５７に連通して切り欠き形成されている。なお、軸開口６１が吸込口５７に連通する部分は相対して爪部６２，６２が突出して軸開口６１の径寸法より狭い開口部６３となっている。さらに、軸開口６１には、開口部６３に対して軸開口６１の直径方向に対向して細長凹状に係止部２５のフランジ部２８の長さ寸法と略同寸法の位置決め凹部６４が切り欠き形成されている。
　【００１９】
　そして、つる口５５は、係合部５９の位置決め凹部６４に係止部２５のフランジ部２８が挿入されて係止部２５の支点部３０が位置決め凹部６４の表面側縁に係止するとともに、係合部５９の軸開口６１に係止部２５の軸部２７が挿入され、つる口５５の吸込口５７内である係合部５９の軸開口６１の裏面側の縁に係止部２５の係止鍔部２９が係止して把持部１３の下面に着脱自在に取り付けられる。
　【００２０】
　次に、上記実施の一形態のつる口を取り付ける動作について説明する。
　【００２１】
　図に示すように、つる口５５の先端側を把持部１３の先端側に向けてつる口５５の軸方向を把持部１３の軸方向に沿うようにし、つる口５５の係合部５９を把持部１３の下面の係止部２５に対向させ、つる口５５を把持部１３の先端側に摺動移動させ、係合部５９の爪部６２，６２の表面側縁を、係止部２５の台座部２６のテーパ面３１に案内させつつ、係合部５９の開口部６３から係止部２５のフランジ部２８を挿入し、係止部２５の軸部２７を開口部６３の爪部６２，６２の吸込口５７側に当接させる。そして、つる口５５をさらに把持部１３の先端側に摺動移動させ、爪部６２，６２間をつる口５５の剛性に抗して広げて開口部６３が拡開するように係止部２５の軸部２７を爪部６２，６２間から開口部６３を介して軸開口６１に圧入する。この軸部２７の軸開口６１への圧入により、係止部２５の支点部３０が位置決め凹部６４の表面側縁に係止するとともに、係止部２５の係止鍔部２９がつる口５５の吸込口５７内である係合部５９の軸開口６１の裏面側の縁に係止して、つる口５５が把持部１３の下面に取り付けられる。
　【００２２】
　次に、上記実施の一形態のつる口を取り外す動作について説明する。
　【００２３】
　つる口５５を取り付ける方向と反対方向である把持部１３のホース体１１側に摺動移動させる。この移動の際、係止部２５の軸部２７が係合部５９の爪部６２，６２間をつる口５５の剛性に抗して広げて開口部６３を拡開させ、軸部２７を爪部６２，６２間から吸込口５７側に引き抜いて取り外す。
　【００２４】
　あるいは、つる口５５をこじるように回動させて取り外す。このつる口５５をこじた場合には、つる口５５は係止部２５の軸部２７を中心軸として回動され、つる口５５の剛性に抗してフランジ部２８が位置決め凹部６４をこじあけるように開口部６３が拡開するように爪部６２，６２間が広がり、フランジ部２８が位置決め凹部６４の縁を乗り越えて外れるとともに、係止鍔部２９が軸開口６１の裏面側の縁から外れてつる口５５が取り外される。
　【００２５】
　上記実施の一形態によれば、略く字状に屈曲する把持部１３の下面に、つる口５５に吸込口５７から切り欠き形成した係合部５９に係止する係止部２５を一体的に設けたため、別体の取付部材を必要とせず、簡単な構造で把持部１３の下面の空間を効率よく利用してつる口５５を取り付けできる。
　【００２６】
　そして、係止部２５として先端部に係止鍔部２９を有した軸部２７にフランジ部２８を連続して形成して構成し、係合部５９として軸部２７が嵌挿される軸開口６１にフランジ部２８が挿入される位置決め凹部６４を吸込口５７に開口部６３を介して連続して切り欠き形成して構成したため、簡単な構造でつる口５５の着脱を容易にでき、つる口５５をこじても係合部５９および係止部２５を損傷することなくつる口５５を取り外しできる。
　【００２７】
　さらに、係止部２５のフランジ部２８に係合部５９の位置決め凹部６４の表面側縁に係止する支点部３０を設けたため、係止鍔部２９と支点部３０との二点にて係止部２５に係合部５９が係止されて位置決めされ、つる口５５をがたつきなく取り付けできる。
　【００２８】
　なお、上記実施例において、吸込口体としてつる口５５を用いて説明したが、家具ブラシなどでもできる。
　【００２９】
　また、係合部５９および係止部２５は、互いに係脱自在で係止部２５が把持部１３の下面に一体的に設けたいずれの構造でもできる。
　【００３０】
　【発明の効果】
　請求項１記載の電気掃除機によれば、上方に把手部が分岐されホースと連通する連通管部の下面に、吸込口体の係合部に係脱可能な係止部を一体に設けたため、吸込口体を取り付ける構造を簡略化でき、取付空間を縮小できるとともに、吸込口体を取り付ける部材の紛失もない。
　【００３１】
　請求項２記載の電気掃除機によれば、請求項１記載の電気掃除機に加え、係合部を把持部の係止部に対向させ、ホースの軸方向に沿って摺動移動させて係合部を係止部に係止させて吸込口体を取り付け、吸込口体を取り外す場合には、取付の際の摺動移動方向と反対方向に移動さ
せて
　【００３２】
　請求項３記載の電気掃除機によれば、請求項１または２記載の電気掃除機に加え、係止部は、先端部に径大の鍔上の係止鍔部を有し把持部の下面に下方に向けて略円柱状に突出形成した軸部から、ホースの軸方向に沿って壁状にフランジ部を突設させ、係合部は、軸部の径より幅狭の開口部に周縁が連続し係止部が嵌挿される略円形状に開口する軸開口に連続して開口部に直径方向に対向してフランジ部が挿入される位置決め凹部を形成したため、簡単な構造で吸込口体を容易に着脱でき、外部から衝撃が加わっても吸込口体が外れて係止部および係合部が損傷することを防止できる。
　【００３３】
　請求項４記載の電気掃除機によれば、請求項３記載の電気掃除機に加え、フランジ部の軸部と反対側の端部の下端縁に下方に向けて係合部の位置決め凹部の縁に係合する支点部を設けたため、吸込口体の係合部を把持部の係止部に係止させて吸込口体を取り付けた際、係止鍔部が係合部の裏面側の縁に係止するとともに支点部が係合部の位置決め凹部の縁に係合して二点で位置決めされるので、吸込口体をがたつきなく取り付けできる。
【図面の簡単な説明】
　【図１】
　本発明の電気掃除機の実施の一形態のつる口を取り付ける状況を示す説明図である。
　【図２】
　同上係止部を示す側面図である。
　【図３】
　同上平面図である。
　【図４】
　同上平面断面図である。
　【図５】
　同上正面図である。
　【図６】
　同上つる口を示す平面図である。
　【図７】
　同上把持部の下面につる口を取り付けた状況を示す説明図である。
　【図８】
　同上電気掃除機本体を示す斜視図である。
　【符号の説明】
　　１　　電気掃除機本体
　　８　　ホース
　１３　　把持部
　２３　　連通管部
　２５　　係止部
　２７　　軸部
　２８　　フランジ部
　２９　　係止鍔部
　３０　　支点部
　５２　　把手部
　５５　　吸込口体としてのつる口
　５９　　係合部
　６１　　軸開口
　６３　　開口部
　６４　　位置決め凹部